(57)【要約】【課題】生体情報の測定精度を向上させることができる生体情報測定装置を提供する。【解決手段】生体の生体情報を測定する生体情報測定装置は、第１面及び第１面と表裏の関係にある第２面を有する基板と、第１面に設けられ、所定の処理を実行する回路素子と、第２面に設けられ、生体情報を検出するセンサー部と、を備え、センサー部は、生体に光を照射する発光部と、生体にて反射された反射光を受光する受光部と、生体に接触し、発光部及び受光部を基板に封止する透光性の封止部と、を有する。【選択図】図７
2019136442.tif 000002
【特許請求の範囲】
【請求項１】
生体の生体情報を測定する生体情報測定装置であって、
第１面及び前記第１面と表裏の関係にある第２面を有する基板と、
前記第１面に設けられ、所定の処理を実行する回路素子と、
前記第２面に設けられ、前記生体情報を検出するセンサー部と、を備え、
前記センサー部は、
前記生体に光を照射する発光部と、
前記生体にて反射された反射光を受光する受光部と、
前記生体に接触し、前記発光部及び前記受光部を前記基板に封止する透光性の封止部と、を有することを特徴とする生体情報測定装置。
【請求項２】
請求項１に記載の生体情報測定装置において、
前記回路素子は、前記受光部から出力される信号に基づいて、前記生体情報を決定する処理回路を含むことを特徴とする生体情報測定装置。
【請求項３】
請求項１又は請求項２に記載の生体情報測定装置において、
前記発光部及び前記受光部のどちらかは、ベアチップにより構成されていることを特徴とする生体情報測定装置。
【請求項４】
請求項１から請求項３のいずれか一項に記載の生体情報測定装置において、
前記センサー部は、前記発光部と前記受光部との間に配置される遮光部を有し、
前記遮光部は、前記発光部及び前記受光部とともに、前記封止部によって封止されていることを特徴とする生体情報測定装置。
【請求項５】
請求項４に記載の生体情報測定装置において、
前記発光部は、第１発光部及び第２発光部を有し、
前記受光部は、前記第１発光部及び前記第２発光部の間に設けられ、
前記遮光部は、前記第１発光部と前記受光部との間、及び、前記第２発光部と前記受光部との間に設けられていることを特徴とする生体情報測定装置。
【請求項６】
請求項４又は請求項５に記載の生体情報測定装置において、
前記遮光部は、前記基板に垂直な方向から見て、前記受光部を囲むことを特徴とする生体情報測定装置。
【請求項７】
請求項４から請求項６のいずれか一項に記載の生体情報測定装置において、
前記遮光部における前記基板からの突出方向側の先端部の位置は、前記封止部において前記発光部から出射された光が外部に出射される面の位置と略一致していることを特徴とする生体情報測定装置。
【請求項８】
請求項１から請求項７のいずれか一項に記載の生体情報測定装置において、
前記封止部において前記発光部から出射された光が外部に出射される面は、曲面であることを特徴とする生体情報測定装置。
【請求項９】
請求項１から請求項７のいずれか一項に記載の生体情報測定装置において、
前記封止部において前記発光部から出射された光が外部に出射される面は、平面であることを特徴とする生体情報測定装置。
【請求項１０】
請求項１から請求項９のいずれか一項に記載の生体情報測定装置において、
前記第２面に設けられ、前記受光部から出力された信号を処理する信号処理部と、
前記基板を収容するハウジングと、を備え、
前記ハウジングは、凹部を有し、
前記信号処理部の少なくとも一部は、前記凹部の内側に配置されていることを特徴とする生体情報測定装置。
【発明の詳細な説明】
【技術分野】
【０００１】
本発明は、生体情報測定装置に関する。
【背景技術】
【０００２】
従来、生体に装着されて生体情報を測定する生体情報測定装置が知られている。このような生体情報測定装置として、脈波を測定する脈波センサーが知られている（例えば、特許文献１参照）。
特許文献１に記載の脈波センサーは、手首に装着されて脈波を測定する腕輪型に構成され、測定ユニット、電源ユニット及び通信ユニットと、これらユニットを電気的に接続するケーブルと、腕輪型筺体及び表示ユニットと、を備える。
【０００３】
測定ユニットは、脈波の測定を行うユニットであり、腕輪型筺体に収納されている。測定ユニットは、基板と、基板の表面に直接実装された光センサーと、測定窓と、基板の裏面に直接実装された増幅回路及び演算回路と、を有する。
光センサーは、発光部及び受光部を有する。発光部から出射された光は、透光部材である測定窓を介して手首に照射され、生体内を透過して手首から戻ってくる反射光は、測定窓を介して受光部によって受光され、当該受光部が光の強度を検出することにより、脈波データが取得される。この脈波データは、増幅回路を経て演算回路に入力され、演算回路によって、脈波に関する種々の情報（脈波の揺らぎ、心拍数、心拍変動及び加速度脈波）が取得される。
【先行技術文献】
【特許文献】
【０００４】
【特許文献１】特開２０１２−１２０７７２号公報
【発明の概要】
【発明が解決しようとする課題】
【０００５】
ここで、特許文献１に記載の脈波センサーでは、透光部材である測定窓を光センサーとは別に設けているので、測定窓の厚さの分だけ、光センサーと生体（手首）との間の距離が長くなりやすい。このように、光センサーと生体との間の距離が長くなると、発光部から出射された光の減衰、及び、受光部にて受光される光の減衰が生じやすくなり、脈波の検出精度が低下するという問題がある。
【０００６】
本発明は、上記課題の少なくとも一部を解決することを目的としたものであり、生体情報の測定精度を向上させることができる生体情報測定装置を提供することを目的の１つとする。
【課題を解決するための手段】
【０００７】
本発明の一態様に係る生体情報測定装置は、生体の生体情報を測定する生体情報測定装置であって、第１面及び前記第１面と表裏の関係にある第２面を有する基板と、前記第１面に設けられ、所定の処理を実行する回路素子と、前記第２面に設けられ、前記生体情報を検出するセンサー部と、を備え、前記センサー部は、前記生体に光を照射する発光部と、前記生体にて反射された反射光を受光する受光部と、前記生体に接触し、前記発光部及び前記受光部を前記基板に封止する透光性の封止部と、を有することを特徴とする。
【０００８】
なお、封止とは、封止材料によって封止対象を内部に包み込むことを言うが、本明細書においては、封止対象を完全に内部に包み込むことに限らず、封止対象の一部が外側に突出している場合も含む。
このような構成によれば、基板において回路素子が設けられる第１面と表裏の関係にある第２面には、発光部及び受光部が設けられる他、これら発光部及び受光部を基板に封止する封止部が設けられる。これによれば、上記特許文献１に記載の脈波センサーのように、透光部材である測定窓を設けずとも、発光部及び受光部を保護できる。
また、発光部及び受光部を封止する封止部は、生体と接触する。このことから、上記特許文献１に記載の脈波センサーのように、透光部材が光センサーとは別に設けられている構成に比べて、発光部から生体までの距離、及び、生体から受光部までの距離を短くすることができる。従って、発光部から生体に照射される光の減衰、及び、生体から受光部に入射される光の減衰を抑制でき、受光部での受光光量の低下を抑制できる。従って、生体情報の検出精度を向上させることができる他、測定窓を有する特許文献１に記載の脈波センサーに比べて薄型化を図ることができる。
【０００９】
上記一態様では、前記回路素子は、前記受光部から出力される信号に基づいて、前記生体情報を決定する処理回路を含むことが好ましい。
このような構成によれば、基板に設けられる構成によって、生体情報測定装置としての機能を実現できる。従って、発光部及び受光部が設けられる基板と、処理回路が設けられる基板とを、それぞれ個別に設ける必要がないので、生体情報測定装置の構成を簡略化できる他、生体情報測定装置の更なる小型化を図ることができる。
【００１０】
上記一態様では、前記発光部及び前記受光部のどちらかは、ベアチップにより構成されていることが好ましい。
ここで、ベアチップは、パッケージ化されていない素子を示す。例えば、発光部を構成するベアチップとしては、パッケージ化されていないＬＥＤ（Light Emitting Diode）素子や、パッケージ化されていない有機ＥＬ（Electro-Luminescence）素子が挙げられる。また例えば、受光部を構成するベアチップとしては、パッケージ化されていないＰＤ（Photodiode）素子が挙げられる。そして、発光部及び受光部のどちらかかがベアチップであるとは、発光部のみがベアチップである場合と、受光部のみがベアチップである場合と、発光部及び受光部のそれぞれがベアチップである場合とを含む。
このような構成によれば、ベアチップは、パッケージ化されたチップより厚さ寸法（チップが基板に設けられた場合の基板からの起立寸法）が小さいので、封止部の厚さ寸法を小さくでき、ひいては、生体情報測定装置の厚さ寸法を小さくできる。従って、生体情報測定装置を更に薄型化できる。
【００１１】
上記一態様では、前記センサー部は、前記発光部と前記受光部との間に配置される遮光部を有し、前記遮光部は、前記発光部及び前記受光部とともに、前記封止部によって封止されていることが好ましい。
なお、この構成においては、発光部及び受光部は、封止部内に包み込まれていれば、遮光部の一部が僅かに封止部の外部に突出していてもよい。
このような構成によれば、発光部から生体を介さずに受光部に直接向かう光を、遮光部によって遮蔽できる。従って、生体情報の検出及び測定精度を向上させることができる。
また、遮光部は、発光部及び受光部とともに封止部によって封止されるので、遮光部を封止部外に別途設ける必要がない。従って、封止部における生体との接触面と、発光部及び受光部との距離を短くできることと併せて、生体情報検出センサーの薄型化を図ることができる。
【００１２】
上記一態様では、前記発光部は、第１発光部及び第２発光部を有し、前記受光部は、前記第１発光部及び前記第２発光部の間に設けられ、前記遮光部は、前記第１発光部と前記受光部との間、及び、前記第２発光部と前記受光部との間に設けられていることが好ましい。
このような構成によれば、第１発光部及び第２発光部のうち、生体情報の検出に適した位置の発光部を用いることによって、生体情報の検出精度を高めることができる。一方、第１発光部及び第２発光部のそれぞれを用いることによって、受光部での受光光量を高めることができるので、この場合でも、生体情報の検出精度を高めることができる。
また、遮光部によって、第１発光部から受光部に直接向かう光、及び、第２発光部から受光部に直接向かう光を遮蔽できる。従って、生体を介していない光が受光部に入射されてしまうことを抑制できるので、生体情報の検出精度をより高めることができる。
【００１３】
上記一態様では、前記遮光部は、前記基板に垂直な方向から見て、前記受光部を囲むことが好ましい。
ここで、発光部及び受光部は、封止部によって封止されているため、発光部から出射された光の一部が、内面反射を繰り返して封止部内を進行し、受光部において発光部側とは異なる側方から受光部に入射されてしまう可能性がある。
これに対し、上記構成によれば、発光部から出射されて、生体を介さずに封止部内を進行して受光部に向かう光を遮光部によって遮蔽できるだけでなく、封止部に入射されて受光部に向かう外乱光を遮蔽できる。従って、生体情報の検出精度をより高めることができる。
【００１４】
上記一態様では、前記遮光部における前記基板からの突出方向側の先端部の位置は、前記封止部において前記発光部から出射された光が外部に出射される面の位置と略一致していることが好ましい。
なお、封止部において発光部から出射された光が外部に出射される面は、生体と接触可能な接触面であり、換言すると、封止部において発光部及び受光部と生体との間に位置し、発光部から出射された光を生体に向けて出射し、生体にて反射された光が入射する面である。以下、この面を、封止部における入出射面とする。
ここで、発光部が所定の出射角で光を出射する場合、発光部から出射された光のうち一部の光は、上記入出射面にて内面反射されるおそれがある。このような場合、遮光部における先端部が上記入出射面より基板側に位置していると、上記一部の光が遮光部を乗り越えて受光部に入射される可能性が生じる。
これに対し、遮光部における上記先端部の位置が、上記入出射面の位置と略一致していることにより、上記入出射面にて内面反射された光を遮光部によって遮蔽でき、内面反射された光が受光部に入射されることを抑制できる。従って、生体情報の検出精度の低下を抑制できる。
【００１５】
上記一態様では、前記封止部において前記発光部から出射された光が外部に出射される面は、曲面であることが好ましい。
このような構成によれば、封止部における上記面をレンズ形状とすることによって、封止部にレンズ機能を付与できる。このため、封止部における上記面を例えば凸曲面又は凹曲面とすることによって、発光部から出射された光を生体に拡散又は集束するように出射できる。また例えば封止部における上記面を凹曲面とすることによって、生体にて反射された光を受光部に集光できる。このように、生体情報測定装置の用途に応じて、発光部から出射された光を生体に効果的に照射できる他、生体から入射される光を効率よく受光部に入射させることができる。従って、生体情報の検出精度を一層高めることができる。
【００１６】
上記一態様では、前記封止部において前記発光部から出射された光が外部に出射される面は、平面であることが好ましい。
ここで、封止部の厚さ寸法は、封止部における上記面の断面形状にも依存する。このため、封止部における上記面を平面とすることにより、封止部の厚さ寸法を小さくでき、ひいては、生体情報測定装置の厚さ寸法を小さくできる。従って、生体情報測定装置の一層の薄型化を図ることができる。
【００１７】
上記一態様では、前記第２面に設けられ、前記受光部から出力された信号を処理する信号処理部と、前記基板を収容するハウジングと、を備え、前記ハウジングは、凹部を有し、前記信号処理部の少なくとも一部は、前記凹部の内側に配置されていることが好ましい。
なお、信号処理部としては、受光部から出力された信号に対して、増幅、ノイズ除去及びＤ／Ａ変換を行うＡＦＥ（Analog Front End）を例示できる。
このような構成によれば、凹部が無い場合に比べて、基板を収容するハウジングを薄型化できる。従って、生体情報測定装置の更なる薄型化を図ることができる。
【図面の簡単な説明】
【００１８】
【図１】本発明の第１実施形態に係る生体情報測定装置を示す正面図。
【図２】上記第１実施形態における生体情報測定装置の背面部を示す図。
【図３】上記第１実施形態における生体情報測定装置の内部構成を示す図。
【図４】上記第１実施形態におけるリアケース及び制御部を示す斜視図。
【図５】上記第１実施形態における制御部を光出射側から見た斜視図。
【図６】上記第１実施形態におけるリアケースに対する制御部の配置を示す斜視図。
【図７】上記第１実施形態における制御部を側方から見た図。
【図８】上記第１実施形態における制御部が配置されるリアケースを示す斜視図。
【図９】本発明の第２実施形態に係る生体情報測定装置の内部構成を示す図。
【図１０】本発明の第３実施形態に係る生体情報測定装置が備える制御部を示す側面図。
【発明を実施するための形態】
【００１９】
［第１実施形態］
以下、本発明の第１実施形態について、図面に基づいて説明する。
［生体情報測定装置の概略構成］
図１は、本実施形態に係る生体情報測定装置１Ａを示す正面図である。
本実施形態に係る生体情報測定装置１Ａ（以下、測定装置１Ａと略す場合がある）は、ユーザーの体に装着されて利用されるウェアラブル機器であり、ユーザーの生体情報を測定する。具体的に、測定装置１Ａは、ユーザーの手首等の被装着部位に装着されて利用され、生体情報の１つであるユーザーの脈波を検出し、生体情報の他の１つである脈拍数を測定する。そして、測定装置１Ａは、後述するセンサー部５Ａの位置及び構成に特徴の１つを有する。
測定装置１Ａは、図１に示すように、ハウジング２及びバンドＢＮ１，ＢＮ２を備える。
【００２０】
なお、以下の説明では、ハウジング２の正面部２１から背面部２２に向かう方向を＋Ｚ方向とし、＋Ｚ方向に対してそれぞれ直交し、かつ、互いに直交する二方向を＋Ｘ方向及び＋Ｙ方向とする。これらのうち、＋Ｘ方向を、正面部２１に対向する位置から見て９時方向とし、＋Ｙ方向を１２時方向とする。また、図示を省略するが、＋Ｚ方向とは反対方向を−Ｚ方向とする。−Ｘ方向及び−Ｙ方向も同様である。なお、＋Ｚ方向は、後述するセンサー部５Ａを構成する発光部５１が光を主に出射する方向でもあり、−Ｚ方向は、生体にて反射された光が受光部５２に主に入射する方向でもある。
【００２１】
バンドＢＮ１は、ハウジング２の＋Ｙ方向側の端部から＋Ｙ方向に延出し、バンドＢＮ２は、ハウジング２の−Ｙ方向側の端部から−Ｙ方向に延出している。バンドＢＮ１，ＢＮ２が中留（図示省略）によって互いに連結されることによって、ハウジング２は、被装着部位に装着される。なお、バンドＢＮ１，ＢＮ２は、ハウジング２と一体的に形成されていてもよい。
【００２２】
ハウジング２は、−Ｚ方向側に位置するフロントケース２Ａ、及び、＋Ｚ方向側に位置するリアケース２Ｂ（図２参照）を有し、これらが組み合わされて構成される。ハウジング２は、正面部２１、背面部２２（図２参照）及び側面部２３を有する。
正面部２１は、ハウジング２において−Ｚ方向側に位置する部位であり、フロントケース２Ａによって構成される。正面部２１は、測定装置１Ａを装着したユーザーによって視認可能な部位である。正面部２１の略中央には、表示部ＤＰが設けられており、表示部ＤＰは、カバー２１１によって覆われている。
側面部２３において−Ｘ方向側の部位には、操作部を構成する一対のボタンＢＴが設けられている。
【００２３】
図２は、測定装置１Ａの背面部２２を示す図である。
背面部２２は、ハウジング２において＋Ｚ方向側に位置する部位であり、リアケース２Ｂによって構成される。背面部２２は、測定装置１Ａがユーザーに装着された際にハウジング２においてユーザーの体に接触する接触部である。
背面部２２は、図２に示すように、中央側が外縁側に比べて＋Ｚ方向側に膨出した湾曲形状に形成されている。背面部２２の中央には、ハウジング２内に収容された制御部４Ａのセンサー部５Ａを外部に露出させる略矩形状の開口部２２１が形成されている。この制御部４Ａについては、後に詳述する。
【００２４】
［ハウジングの内部構成］
図３は、測定装置１Ａの内部構成を示す図であり、詳しくは、ＹＺ平面と平行で、測定装置１Ａの中央を通る断面を−Ｘ方向側から見た図である。
測定装置１Ａは、ハウジング２及び表示部ＤＰの他、図３に示すように、それぞれハウジング２に収容される電池３及び制御部４Ａを有する。
電池３は、測定装置１Ａを動作させる電力を供給する。この電池３は、本実施形態では、制御部４Ａによる制御の下、外部から供給される電力によって充電される二次電池であるが、これに限らず、一次電池であってもよい。
【００２５】
［制御部の構成］
制御部４Ａは、測定装置１Ａ全体を制御する制御基板（回路基板）として構成されており、ハウジング２内にＸＹ平面に沿うように配置されている。制御部４Ａは、リジッド基板である基板４１と、基板４１における−Ｙ方向側の面である実装面４１Ａ（第１面）に設けられた複数の回路素子４２によってそれぞれ構成される加速度センサー、無線通信回路、表示制御回路、記憶回路及び処理回路と、を備える。また、制御部４Ａは、基板４１における＋Ｙ方向側の面であり、実装面４１Ａと表裏の関係にある実装面４１Ｂ（第２面）にそれぞれ設けられたセンサー部５Ａ、信号処理部４３及び複数の素子４４を備える。
【００２６】
加速度センサーは、測定装置１Ａに作用する加速度を検出し、検出された加速度の変化を示す信号をユーザーの体動を示す体動信号として処理回路に出力する。なお、体動信号は、処理回路がセンサー部５Ａから入力される脈波信号を解析して脈拍数を決定する際に行う体動ノイズの除去にも利用される。
無線通信回路は、処理回路による制御の下、センサー部５Ａ及び加速度センサーによる検出結果に基づく生体情報や体動情報を外部機器に送信する他、外部機器から受信される情報を処理回路に出力する。
表示制御回路は、処理回路による制御の下、表示部ＤＰに所定の情報を表示させる。例えば、表示制御回路は、処理回路によって解析された脈拍数を表示部ＤＰに表示させる。
【００２７】
記憶回路は、フラッシュメモリー等の不揮発性メモリーによって構成され、測定装置１Ａの動作に必要なプログラム及びデータを記憶している。この他、記憶回路は、センサー部５Ａ及び加速度センサーによる検出結果、及び、処理回路による解析結果を記憶する。
処理回路は、ＣＰＵ（Central Processing Unit）等の演算処理回路によって構成され、自律的に、或いは、ボタンＢＴ等の操作部に対するユーザーの入力操作に応じて測定装置１Ａ全体を制御する制御回路として機能する。例えば、処理回路は、所定の処理として、センサー部５Ａから入力される脈波信号、及び、加速度センサーから入力される体動信号に基づいて、ユーザーの脈拍数を決定する。また、処理回路は、決定された脈拍数を記憶回路に記憶させる他、必要に応じて、脈拍数を表示部ＤＰに表示させたり、無線通信回路によって外部機器に送信したりする。
【００２８】
［センサー部の構成］
図４は、リアケース２Ｂと制御部４Ａに設けられたセンサー部５Ａとを＋Ｚ方向側から見た斜視図である。また、図５は、制御部４Ａを＋Ｚ方向側から見た斜視図である。なお、図４及び図５においては、センサー部５Ａにおける発光部５１、受光部５２及び遮光部５３の配置を分かりやすくするために、センサー部５Ａを構成する封止部５４の図示を省略している。
センサー部５Ａは、生体（例えばユーザーの体）に光を照射して、生体にて反射された反射光の受光光量の変化を示す信号を、生体の脈波を示す脈波信号として出力する。このセンサー部５Ａは、図４及び図５に示すように、実装面４１Ｂにそれぞれ設けられる発光部５１（５１Ａ，５１Ｂ）、受光部５２、遮光部５３及び封止部５４（図６参照）を有する。
【００２９】
［発光部の構成］
発光部５１は、生体に照射される光（検出光であり、例えば緑色光）を出射する。発光部５１は、＋Ｙ方向に沿い背面部２２の中央を通る直線上に、受光部５２を挟むように、所定間隔を隔てて２つ設けられている。換言すると、発光部５１は、＋Ｙ方向側に位置する発光部５１Ａと、−Ｙ方向側に位置する発光部５１Ｂとを有する。発光部５１Ａ，５１Ｂのうち、一方は第１発光部であり、他方は第２発光部に相当する。
【００３０】
発光部５１Ａ，５１Ｂは、それぞれ、本実施形態ではＬＥＤ（Light Emitting Diode）等の発光素子（図示省略）と、発光素子を囲むように被覆する被覆部５１１と、発光素子を覆うように被覆部５１１に設けられるレンズ５１２と、を有する。すなわち、発光部５１Ａ，５１Ｂは、パッケージ化されたＬＥＤチップである。
被覆部５１１は、詳しい図示を省略するが、発光素子の発光面と対向する位置から見て、発光素子の四方（±Ｘ方向側及び±Ｙ方向側）を囲む反射部と、発光素子及び反射部の間に充填される密封用樹脂と、を有する。発光素子から出射された光のうち、±Ｘ方向側及び±Ｙ方向側に出射された光は反射部によって＋Ｚ方向側に反射されて、レンズ５１２に入射される。なお、発光素子から＋Ｚ方向側に出射された光も、レンズ５１２に入射される。このように発光素子から出射されてレンズ５１２に入射された光は、レンズ５１２によって集光されて出射される。
なお、発光部５１Ａ，５１Ｂは、処理回路による制御の下、それぞれ個別に点灯及び消灯を切り替えることが可能である。このため、脈波の検出に際しては、発光部５１Ａ，５１Ｂの少なくとも１つが点灯するが、必ずしも発光部５１Ａ，５１Ｂが同時に点灯する必要はない。
【００３１】
［受光部の構成］
受光部５２は、発光部５１から照射されて、生体にて反射された反射光を受光し、反射光の受光光量の変化を示す信号を、脈波の波形を示す脈波信号として出力する。受光部５２は、２つの発光部５１Ａ，５１Ｂを結ぶ＋Ｙ方向において、２つの発光部５１Ａ，５１Ｂの間の中央に設けられている。すなわち、発光部５１Ａの中心と受光部５２の中心との間の寸法は、発光部５１Ｂの中心と受光部５２の中心との間の寸法と同じであり、受光部５２は、背面部２２の中央に配置されている。
受光部５２は、詳しい図示を省略するが、ＰＤ（Photodiode）である受光素子と、当該受光素子を被覆する被覆部と、角度制限フィルターと、を有する。すなわち、受光部５２は、パッケージ化されたＰＤチップである。
なお、角度制限フィルターは、角度制限フィルターを構成するフィルター層の法線に対する入射光の角度である入射角が所定値未満である光を透過させ、入射角が所定値以上である光の透過を抑制するフィルターである。このような角度制限フィルターが設けられていることによって、ノイズとなる外乱光が受光部５２に入射されることが抑制される。なお、本実施形態では、上記所定値は３０°に設定されている。
一方、受光部５２は、発光部５１から出射された光を透過して、受光部５２によって受光される光の波長を制限する波長制限フィルターを有していてもよい。
【００３２】
［遮光部の構成］
遮光部５３は、発光部５１から出射されて、生体を介さずに受光部５２に向かう光を遮蔽する。遮光部５３は、発光部５１（５１Ａ，５１Ｂ）と受光部５２との間に配置されている。具体的に、遮光部５３は、第１遮蔽部５３１、第２遮蔽部５３２、第３遮蔽部５３３及び第４遮蔽部５３４を有し、基板４１に対して垂直な方向である＋Ｚ方向側から見て、各遮蔽部５３１〜５３４によって受光部５２を囲む矩形枠状に形成されている。
第１遮蔽部５３１は、受光部５２に対して＋Ｙ方向側に位置し、発光部５１Ａと受光部５２との間に位置する。換言すると、第１遮蔽部５３１は、受光部５２に対して発光部５１Ａ側であり、発光部５１Ｂ側とは反対側となる位置に位置する。
第２遮蔽部５３２は、受光部５２に対して−Ｙ方向側に位置し、発光部５１Ｂと受光部５２との間に位置する。換言すると、第２遮蔽部５３２は、受光部５２に対して発光部５１Ｂ側であり、発光部５１Ａ側とは反対側となる位置に位置する。
第３遮蔽部５３３は、受光部５２に対して＋Ｘ方向側に位置し、第４遮蔽部５３４は、受光部５２に対して−Ｘ方向側に位置する。
【００３３】
更に、遮光部５３は、第３遮蔽部５３３と接続される屈曲部５３５と、第４遮蔽部５３４と接続される屈曲部５３６と、を有する。これら屈曲部５３５，５３６は、ＸＹ平面に沿う平板状の取付部であり、−Ｚ方向側の面が実装面４１Ｂに半田等によって取り付けられることにより、実装面４１Ｂに遮光部５３が取り付けられる。
【００３４】
［封止部の構成］
図６は、リアケース２Ｂに対する制御部４Ａの配置を示す斜視図であり、換言すると、リアケース２Ｂ及び制御部４Ａを示す分解斜視図である。また、図７は、制御部４Ａを側方（−Ｘ方向側）から見た図である。
封止部５４は、図６及び図７に示すように、発光部５１、受光部５２及び遮光部５３を基板４１の実装面４１Ｂに封止して、これら発光部５１、受光部５２及び遮光部５３を保護する。封止部５４は、制御部４Ａがリアケース２Ｂに取り付けられる際に、リアケース２Ｂに形成された開口部２２１を介してハウジング２の外部に露出される。
このような封止部５４は、発光部５１から出射された光、及び、受光部５２に入射される光を透過する透光性の封止樹脂によって形成されている。このため、発光部５１から出射された光は、封止部５４を介してハウジング２の外部に出射され、また、受光部５２にて受光される光は、封止部５４を介して受光部５２に入射される。
なお、封止とは、封止される対象である封止対象の全てが封止部５４内に包み込まれることを必ずしも意味するわけではない。例えば、封止部５４は、封止対象である発光部５１及び受光部５２を封止部５４内に封入していれば、同じく封止対象である遮光部５３の一部が封止部５４外に僅かに突出していてもよい。
【００３５】
このような封止部５４は、＋Ｚ方向側の面であり、測定装置１Ａが生体に装着された際に生体に接触可能な接触面５４１を有する。この接触面５４１は、発光部５１から出射された光が主に封止部５４外に出射される出射面でもあり、また、受光部５２に入射される光が外部（生体）から主に入射される入射面でもある。すなわち、接触面５４１は、封止部５４に対する光の入出射面である。
このような接触面５４１は、図７に示すように、＋Ｘ方向及び＋Ｙ方向における中央部が外縁側より＋Ｚ方向に膨出した凸曲面状に形成されている。この接触面５４１の形状は、発光部５１から出射された光を集光して生体に照射することを意図した形状である。
【００３６】
ここで、遮光部５３における実装面４１Ｂからの突出方向である＋Ｚ方向の先端部の位置は、発光部５１（５１Ａ，５１Ｂ）における＋Ｚ方向側の端部より更に＋Ｚ方向側に位置するだけでなく、接触面５４１と略同じ位置である。例えば、図７に示すように、第１遮蔽部５３１における＋Ｚ方向の先端部５３１１の位置は、発光部５１Ａにおける＋Ｚ方向側の端部より更に＋Ｚ方向側に位置するだけでなく、接触面５４１と略同じ位置である。また、第２遮蔽部５３２における＋Ｚ方向の先端部５３２１の位置は、発光部５１Ｂにおける＋Ｚ方向側の端部より更に＋Ｚ方向側に位置するだけでなく、接触面５４１と略同じ位置である。なお、図示を省略するが、第３遮蔽部５３３及び第４遮蔽部５３４における＋Ｚ方向側の先端部の位置も、接触面５４１と略同じ位置である。
【００３７】
これは、遮光部５３の先端部（例えば先端部５３１１，５３２１）の位置が、接触面５４１より−Ｚ方向側に位置していると、発光部５１Ａ，５１Ｂから出射された光が、界面である接触面５４１にて内面反射され、遮光部５３を乗り越えて受光部５２に入射されてしまう可能性があるためである。このように内面反射された光も遮蔽されるように、遮光部５３の先端部の位置は、接触面５４１と略同じ位置に設定されている。なお、遮光部５３の先端部が、封止部５４（接触面５４１）の外部に突出している場合でも、上記のように、遮光部５３は封止部５４によって封止されているとする。
このように、接触面５４１の位置と遮光部５３の先端部の位置とを合わせるには、これらの位置が略一致するように、型等を用いて封止部５４を成形する手法や、形成された封止部５４を削る手法を採用できる。
【００３８】
［信号処理部の構成］
信号処理部４３は、図５〜７に示すように、実装面４１Ｂにおいてセンサー部５Ａに対する−Ｙ方向側の部位に設けられている。信号処理部４３は、脈波信号を処理する回路素子であり、具体的には、脈波信号を処理するＡＦＥ（Analog Front End）である。
このような信号処理部４３は、受光部５２から入力される脈波信号に対して増幅、ノイズ除去及びＡ／Ｄ変換等の処理を行う。すなわち、信号処理部４３は、一次増幅部、フィルター部、二次増幅部、Ａ／Ｄ変換部及び通信部を有する。そして、信号処理部４３は、処理した脈波信号を、上記処理回路に出力する。
なお、実装面４１Ｂにおいてセンサー部５Ａに対して＋Ｙ方向側の部位に設けられた複数の素子４４は、抵抗、トランジスター及びコンデンサー等の回路素子である。これら素子４４と上記信号処理部４３との配置位置は、逆であってもよい。すなわち、実装面４１Ｂにおいてセンサー部５Ａに対して＋Ｙ方向側に信号処理部４３が設けられ、センサー部５Ａに対して−Ｙ方向側に複数の素子４４が設けられていてもよい。
【００３９】
［リアケースの構成］
図８は、制御部４Ａが配置されるリアケース２Ｂの構成を示す斜視図である。換言すると、図８は、リアケース２Ｂを光出射側とは反対側（−Ｚ方向側）から見た斜視図である。なお、図８では、実装面４１Ａに実装される回路素子４２の図示を省略している。
リアケース２Ｂは、上記のように、電池３及び制御部４Ａを収容するハウジング２の背面部２２を構成する。リアケース２Ｂは、図８に示すように、−Ｚ方向側の面２Ｂ１（背面部２２の内面である面２Ｂ１）の略中央に、実装面４１Ｂを＋Ｚ方向側に向けるようにして−Ｚ方向側から制御部４Ａが配置される配置部２２２を有する。
【００４０】
配置部２２２は、−Ｚ方向側から見て制御部４Ａの基板４１に応じた矩形状で、＋Ｚ方向側に凹む凹状に形成されている。この配置部２２２において＋Ｚ方向側の部位である底部２２２Ａは、基板４１の実装面４１Ｂと当接し、制御部４Ａを支持する。
底部２２２Ａにおける中央には、センサー部５Ａをハウジング２の外部に露出させる上記開口部２２１が形成され、開口部２２１に対する±Ｙ方向側には、更に＋Ｚ方向側に凹む凹部２２３，２２４が形成されている。
＋Ｙ方向側に位置する凹部２２３は、実装面４１Ｂに設けられた複数の素子４４の少なくとも一部が内側に配置される凹部である。−Ｙ方向側に位置する凹部２２４は、実装面４１Ｂに設けられた信号処理部４３の少なくとも一部が内側に配置される凹部である。
【００４１】
［第１実施形態の効果］
以上説明した本実施形態に係る生体情報測定装置１Ａよれば、以下の効果を奏することができる。
生体情報測定装置１Ａは、基板４１と、基板４１における第１面としての実装面４１Ａに設けられ、所定の処理を実行する回路素子４２と、基板４１において実装面４１Ａと表裏の関係にある実装面４１Ｂに設けられ、生体情報を検出するセンサー部５Ａと、を備える。センサー部５Ａは、生体に光を照射する発光部５１と、生体にて反射された反射光を受光する受光部５２と、生体に接触し、発光部５１及び受光部５２を基板４１に封止する透光性の封止部５４と、を有する。
これによれば、封止部５４によって発光部５１及び受光部５２を保護できる。
また、封止部５４は、生体と接触することから、センサー部５Ａを覆う透光部材が、センサー部５Ａとは別に設けられる場合に比べて、発光部５１から生体までの距離、及び、生体から受光部５２までの距離を短くすることができる。従って、発光部５１から生体に照射される光の減衰、及び、生体から受光部５２に入射される光の減衰を抑制でき、受光部５２での受光光量の低下を抑制できる。従って、測定装置１Ａによる生体情報の検出精度を向上させることができる。
この他、センサー部５Ａを覆う透光部材が無いので、測定装置１Ａの薄型化を図ることができる。
【００４２】
実装面４１Ａに配置される回路素子４２は、受光部５２から出力される信号に基づいて、生体情報を決定する処理回路を含む。これによれば、基板４１の実装面４１Ｂに発光部５１及び受光部５２が設けられ、実装面４１Ｂとは反対側の実装面４１Ａに上記処理回路を含む回路素子４２が設けられるので、基板４１に設けられる構成によって、生体情報測定装置としての機能（すなわち、生体情報を検出及び測定する機能）を実現できる。従って、発光部５１及び受光部５２が設けられる基板と、上記処理回路が設けられる基板とを、それぞれ個別に設ける必要がないので、測定装置１Ａの構成を簡略化できる他、測定装置１Ａの更なる小型化を図ることができる。
【００４３】
センサー部５Ａは、発光部５１及び受光部５２の他、発光部５１と受光部５２との間に配置される遮光部５３を有する。遮光部５３は、発光部５１及び受光部５２とともに、封止部５４によって封止されている。これによれば、発光部５１から生体を介さずに受光部５２に直接向かう光を、遮光部５３によって遮蔽できる。従って、生体情報の検出及び測定精度を向上させることができる。
また、遮光部５３は、発光部５１及び受光部５２とともに封止部５４によって封止されるので、遮光部５３を封止部５４外に別途設ける必要がない。従って、接触面５４１と発光部５１及び受光部５２との距離を短くできることと併せて、生体情報測定装置１Ａの薄型化を図ることができる。
【００４４】
発光部５１は、第１発光部及び第２発光部としての発光部５１Ａ，５１Ｂを有する。受光部５２は、発光部５１Ａ，５１Ｂの間に設けられ、遮光部５３は、発光部５１Ａと受光部５２との間、及び、発光部５１Ｂと受光部５２との間に設けられている。これによれば、発光部５１Ａ，５１Ｂのうち、生体情報の検出に適した位置の発光部を用いることによって、生体情報の検出精度を高めることができる。一方、発光部５１Ａ，５１Ｂのそれぞれを用いることによって、受光部５２での受光光量を高めることができるので、この場合でも、生体情報の検出精度を高めることができる。
また、遮光部５３によって、発光部５１Ａから受光部５２に直接向かう光、及び、発光部５１Ｂから受光部５２に直接向かう光を遮蔽できる。従って、生体を介していない光が受光部５２に入射されてしまうことを抑制できるので、生体情報の検出精度をより高めることができる。
【００４５】
ここで、発光部５１及び受光部５２は、封止部５４によって封止されているため、発光部５１から出射された光の一部が、内面反射を繰り返して封止部５４内を進行し、受光部５２において発光部５１側とは異なる側方から受光部５２に入射されてしまう可能性がある。
これに対し、遮光部５３は、基板４１に垂直な方向である＋Ｚ方向側から見て、受光部５２を囲む。これによれば、発光部５１から出射されて、生体を介さずに封止部５４内を進行して受光部５２に向かう光を、遮光部５３によって遮蔽できるだけでなく、封止部５４に入射されて受光部５２に向かう外乱光を遮蔽できる。従って、生体情報の検出精度をより高めることができる。
【００４６】
ここで、発光部５１が所定の出射角で光を出射する場合、発光部５１から出射された光のうち一部の光は、接触面５４１にて内面反射されるおそれがある。このような場合、遮光部５３において基板４１からの突出方向側の先端部が接触面５４１より基板４１側に位置していると、上記一部の光が遮光部５３を乗り越えて受光部５２に入射される可能性が生じる。
これに対し、遮光部５３における基板４１からの突出方向側の先端部（例えば先端部５３１１，５３２１）の位置は、封止部５４において発光部５１から出射された光が外部に出射される面である接触面５４１の位置と略一致している。これによれば、接触面５４１にて内面反射された光を遮光部５３によって遮蔽でき、内面反射された光が受光部５２に入射されることを抑制できる。従って、生体情報の検出精度の低下を抑制できる。
【００４７】
封止部５４において発光部５１から出射された光が外部に出射される面である接触面５４１は、曲面である。詳述すると、接触面５４１は、中央が外縁より＋Ｚ方向側に突出した凸曲面である。これによれば、封止部５４を凸レンズとして機能させることができる。このため、発光部５１から出射された光を集光して生体に照射できる。従って、生体情報の検出精度を一層高めることができる。
【００４８】
生体情報測定装置１Ａは、実装面４１Ｂに設けられ、受光部５２から出力された信号を処理する信号処理部４３と、基板４１を収容するハウジング２と、を備える。ハウジング２を構成するリアケース２Ｂは、信号処理部４３の少なくとも一部が内側に配置される凹部２２４を有する。これによれば、凹部２２４が無い場合に比べて、リアケース２Ｂ、ひいては、ハウジング２を薄型化できる。従って、生体情報測定装置１Ａの更なる薄型化を図ることができる。
【００４９】
［第２実施形態］
次に、本発明の第２実施形態について説明する。
本実施形態に係る生体情報測定装置は、第１実施形態にて示した生体情報測定装置１Ａと同様の構成を有するが、発光部及び受光部の構成が異なる点で、生体情報測定装置１Ａと相違する。なお、以下の説明では、既に説明した部分と同一又は略同一である部分については、同一の符号を付して説明を省略する。
【００５０】
図９は、本実施形態に係る生体情報測定装置１Ｂの内部構成を示す図であり、詳しくは、ＹＺ平面と平行で、生体情報測定装置１Ｂの中央を通る断面を−Ｘ方向側から見た図である。
生体情報測定装置１Ｂは、図９に示すように、制御部４Ａに代えて制御部４Ｂを有する他は、生体情報測定装置１Ａと同様の構成及び機能を有し、制御部４Ｂは、センサー部５Ａに代えてセンサー部５Ｂを有する他は、制御部４Ａと同様の構成及び機能を有する。
センサー部５Ｂは、発光部５１及び受光部５２に代えて、発光部６１及び受光部６２を有する他は、上記センサー部５Ａと同様の構成及び機能を有する。
【００５１】
発光部６１は、発光部５１と同様に、生体に照射される光（検出光であり、例えば緑色光）を出射する。発光部６１は、実装面４１Ｂにおける発光部５１と同じ位置にそれぞれ設けられている。すなわち、発光部６１は、＋Ｙ方向に所定の間隔を隔てて２つ設けられている。換言すると、発光部６１は、発光部６１Ａ及び発光部６１Ｂを有する。
発光部６１Ａは、センサー部５Ｂにおいて中央に位置する受光部６２に対して＋Ｙ方向側に位置する。また、発光部６１Ｂは、受光部６２に対して−Ｙ方向側に位置する。
これら発光部６１Ａ，６１Ｂは、それぞれ本発明の第１発光部及び第２発光部に相当し、本実施形態では、ＬＥＤ（Light Emitting Diode）等の発光素子により構成されている。換言すると、発光部６１Ａ，６１Ｂは、それぞれパッケージ化されていないＬＥＤベアチップであり、実装面４１Ｂにベアチップ実装により取り付けられている。なお、ベアチップ実装としては、ワイヤーボンディング、リード線を有するフィルムを用いたＴＡＢ（tape automated bonding）、及び、バンプを用いたフリップチップが挙げられる。
【００５２】
受光部６２は、上記受光部５２と同様に、生体にて反射された反射光を受光し、反射光の受光光量に応じた信号を、脈波の波形を示す脈波信号として出力する。受光部６２は、実装面４１Ｂにおける受光部５２と同じ位置に設けられる。すなわち、受光部６２は、発光部６１Ａ，６１Ｂの間に設けられ、発光部６１Ａの中心と受光部６２の中心との間の寸法は、発光部６１Ｂの中心と受光部６２の中心との間の寸法と同じであり、受光部６２は、背面部２２の中央に配置されている。
このような受光部６２は、本実施形態では、ＰＤ等の受光素子により構成されている。換言すると、受光部６２は、パッケージ化されていないＰＤベアチップであり、実装面４１Ｂ上にベアチップ実装により取り付けられている。
【００５３】
このようなセンサー部５Ｂにおいても、封止部５４は、発光部６１（６１Ａ，６１Ｂ）、受光部６２及び遮光部５３を実装面４１Ｂに封止し、これらを保護する。
また、図９では詳しい図示を省略するが、センサー部５Ｂにおいても、遮光部５３の＋Ｚ方向側の先端部の位置は、封止部５４において凸曲面状に形成された接触面５４１の位置と略一致している。
【００５４】
［第２実施形態の効果］
以上説明した本実施形態に係る測定装置１Ｂによれば、上記測定装置１Ａと同様の効果を奏することができる他、以下の効果を奏することができる。
センサー部５Ｂにおいて、封止部５４によって遮光部５３とともに封止される発光部６１及び受光部６２は、それぞれパッケージ化されていないベアチップにより構成されている。これによれば、ベアチップは、パッケージ化されたチップより厚さ寸法（チップが基板４１に設けられた場合の基板４１からの起立寸法）が小さいので、発光部５１及び受光部５２に比べて発光部６１及び受光部６２の厚さ寸法をより小さくでき、封止部５４の厚さ寸法をより小さくできる。従って、センサー部５Ｂ、ひいては、生体情報測定装置１Ｂを一層薄型化できる。
【００５５】
なお、ベアチップによって構成された発光部６１は、主に＋Ｚ方向側を向く面から光を出射するが、±Ｘ方向側及び±Ｙ方向側の面からも光を出射する。一方、ベアチップによって構成された受光部６２は、主に＋Ｚ方向側を向く面にて光を受光するが、±Ｘ方向側及び±Ｙ方向側の面においても光を受光する。このため、発光部６１における±Ｘ方向側及び±Ｙ方向側の面から出射された光が、内面反射される等して封止部５４内を進行して、受光部６２における±Ｘ方向側及び±Ｙ方向側の面にて受光される可能性がある。
これに対し、遮光部５３が、受光部６２を±Ｘ方向側及び±Ｙ方向側にて囲む枠状に形成されていることにより、発光部６１における±Ｘ方向側及び±Ｙ方向側の面から出射され、封止部５４内を進行して受光部６２に向かう光を、遮光部５３によって遮蔽できる。従って、遮光部５３が受光部６２を囲む枠状に形成されていることによる効果を、好適に奏することができる。
【００５６】
［第３実施形態］
次に、本発明の第３実施形態について説明する。
本実施形態に係る生体情報測定装置は、第２実施形態にて示した生体情報測定装置１Ｂと同様の構成を有するが、生体情報検出センサーを構成する封止部の形状が異なる点で、生体情報測定装置１Ｂと相違する。なお、以下の説明では、既に説明した部分と同一又は略同一である部分については、同一の符号を付して説明を省略する。
【００５７】
図１０は、本実施形態に係る生体情報測定装置が備える制御部４Ｃを示す側面図である。詳述すると、図１０は、制御部４Ｃを−Ｘ方向側から見た側面図である。
本実施形態に係る生体情報測定装置は、制御部４Ｂに代えて制御部４Ｃを有する他は、生体情報測定装置１Ｂと同様の構成及び機能を有し、制御部４Ｃは、センサー部５Ｂに代えてセンサー部５Ｃを有する他は、制御部４Ｂと同様の構成及び機能を有する。
センサー部５Ｃは、封止部５４に代えて封止部６４を有する他は、センサー部５Ｂと同様の構成及び機能を有する。すなわち、センサー部５Ｃは、それぞれ基板４１の実装面４１Ｂに設けられる発光部６１（６１Ａ，６１Ｂ）、受光部６２及び遮光部５３と、これら発光部６１、受光部６２及び遮光部５３を実装面４１Ｂに封止する封止部６４と、を有する。
【００５８】
封止部６４は、封止部５４と同様の透光性の封止樹脂により形成されている。封止部６４における＋Ｚ方向側の面は、発光部６１から出射された光が出射され、生体を介した光が入射される入出射面であり、生体（例えばユーザーの体）と接触可能な接触面６４１である。この接触面６４１は、ＸＹ平面と略平行な平面（＋Ｚ方向に略直交する平面）である。
なお、センサー部５Ｃにおいても、遮光部５３において基板４１からの突出方向の先端部である＋Ｚ方向側の先端部（例えば先端部５３１１，５３２１）の位置は、接触面６４１の位置と略一致する。
【００５９】
［第３実施形態の効果］
以上説明した本実施形態に係る生体情報測定装置によれば、生体情報測定装置１Ｂと同様の効果を奏することができる他、以下の効果を奏することができる。
封止部６４における接触面６４１は、平面である。これによれば、センサー部５Ｃにおける厚さ寸法をより小さくできる。従って、センサー部５Ｃの一層の薄型化を図ることができ、ひいては、生体情報測定装置の一層の薄型化を図ることができる。
なお、図１０に示した例では、センサー部５Ｃは、発光部６１及び受光部６２を有するとしたが、発光部５１及び受光部５２を有する構成としてもよい。
【００６０】
［実施形態の変形］
本発明は、上記各実施形態に限定されるものではなく、本発明の目的を達成できる範囲での変形、改良等は本発明に含まれるものである。
上記第１及び第２実施形態では、封止部５４の接触面５４１は凸曲面であり、上記第３実施形態では、封止部６４の接触面６４１は平面であるとした。しかしながら、これに限らず、封止部において光の出射方向側の面の形状は、他の形状であってもよい。
例えば、接触面５４１，６４１は、凹曲面であってもよい。接触面５４１，６４１が凹曲面である場合、発光部５１，６１から出射された光を封止部５４，６４外に拡散させやすくすることができ、封止部５４，６４に入射される光を受光部５２，６２に集光しやすくすることができる。
このように、接触面５４１，６４１の形状や曲率を変更することにより、生体情報測定装置の用途に応じて、発光部５１，６１から出射された光を生体に効果的に照射できる他、生体から入射される光を効率よく受光部５２，６２に入射させることができる。
【００６１】
上記各実施形態では、信号処理部４３及び複数の素子４４は、基板４１においてセンサー部５Ａ〜５Ｃが位置する実装面４１Ｂに設けられるとした。しかしながら、これに限らず、実装面４１Ｂに配置される複数の構成部品のうち、センサー部５Ａ〜５Ｃを除く少なくとも１つの構成部品は、実装面４１Ｂとは反対側の実装面４１Ａに設けられていてもよい。
【００６２】
上記第１実施形態では、センサー部５Ａは、２つの発光部５１Ａ，５１Ｂ及び１つの受光部５２を有するとし、上記第２及び第３実施形態では、センサー部５Ｂ，５Ｃは、２つの発光部６１Ａ，６１Ｂ及び１つの受光部６２を有するとした。しかしながら、これに限らず、発光部の数及び受光部の数は、適宜変更可能である。例えば、１つの受光部に対して１つの発光部が設けられていてもよく、３以上の発光部が設けられていてもよい。また、１つの発光部に対して２以上の受光部が設けられていてもよい。
更に、それぞれ少なくとも１つの発光部及び受光部の組が複数設けられていてもよい。この場合、複数の封止部によって組毎に封止されていてもよい。
また、発光部及び受光部のレイアウトは適宜変更可能であり、例えば、複数の発光部が＋Ｘ方向に離間して配設されていてもよい。
【００６３】
上記第２及び第３実施形態では、センサー部５Ｂ，５Ｃは、それぞれベアチップである発光部６１及び受光部６２を有するとした。しかしながら、これに限らず、発光部及び受光部のいずれかがベアチップであってもよい。例えば、センサー部は、ベアチップである発光部６１と、パッケージ化された受光部５２との組合せを有する構成としてもよく、パッケージ化された発光部５１と、ベアチップである受光部６２との組合せを有する構成としてもよい。更に、センサー部が複数の発光部を有する場合には、複数の発光部の全てがベアチップにより構成されていてもよく、一部の発光部がベアチップにより構成され、他の発光部がパッケージ化されたチップにより構成されていてもよい。同様に、センサー部が複数の受光部を有する場合には、複数の受光部の全てがベアチップにより構成されていてもよく、一部の受光部がベアチップにより構成され、他の受光部がパッケージ化されたチップにより構成されていてもよい。
また、基板４１は、リジッド基板としたが、フレキシブルプリント基板（ＦＰＣ）であってもよい。
【００６４】
上記各実施形態では、遮光部５３は、受光部５２，６２を囲む矩形枠状に形成されているとした。しかしながら、これに限らず、遮光部５３の形状は、環状であってもよく、矩形以外の多角形状であってもよい。
また、遮光部５３は、受光部５２，６２を囲む形状でなくてもよい。すなわち、発光部と受光部との間に遮光部が位置し、発光部から出射されて受光部に直接入射する光を遮蔽できれば、遮光部の形状は適宜変更可能である。例えば、発光部及び受光部をそれぞれ１つずつ有するセンサー部において、これら発光部及び受光部の間に遮光部があれば、受光部から発光部に向かう方向とは異なる方向に遮光部（遮蔽部）は無くてもよく、また、発光部及び受光部の数とは関係なく、遮光部が枠状に形成されていてもよい。更に、遮光部の一部に隙間があってもよく、複数の遮蔽部（遮光部）に分断されていてもよい。
加えて、遮光部５３は、封止部５４，６４によって封止されていなくてもよく、また、センサー部に遮光部が無くてもよい。
【００６５】
上記各実施形態では、遮光部５３における＋Ｚ方向側（基板４１からの突出方向側）の先端部の位置は、接触面５４１，６４１の位置と一致するとした。しかしながら、これに限らず、遮光部５３における先端部の位置は、適宜変更可能である。なお、上記のように、遮光部の先端部は、発光部より＋Ｚ方向側（光出射側）に位置することが好ましい。
【００６６】
上記各実施形態では、制御部４Ａ〜４Ｃには、測定装置に作用する加速度を検出する加速度センサーが設けられているとした。しかしながら、これに限らず、制御部４Ａ〜４Ｃに加速度センサーは設けられていなくてもよく、また、設けられている場合でも、基板４１以外の構成（例えばバンドＢＮ１，ＢＮ２）に設けられていてもよい。更に、生体情報測定装置は、位置情報を計測可能な位置センサー（例えばＧＰＳセンサー）等の他のセンサーを備えていてもよい。
また、制御部４Ａ〜４Ｃは、それぞれ回路素子４２によって構成される加速度センサー、無線通信回路、表示制御回路、記憶回路及び処理回路を有するとした。しかしながら、これに限らず、加速度センサー、無線通信回路、表示制御回路、記憶回路及び処理回路のうち少なくとも１つは無くてもよく、また、これらのうち少なくとも１つに代えて、或いは、加えて、他の処理を実行する回路素子が基板４１に設けられていてもよい。
【００６７】
上記各実施形態では、生体情報測定装置１Ａ，１Ｂの制御部４Ａ〜４Ｃは、生体情報の１つである脈波を検出し、検出された脈波を示す脈波信号に基づいて、生体情報の他の１つである脈拍数を決定するとした。すなわち、上記した生体情報測定装置は、脈波及び脈拍数を生体情報として測定するとした。しかしながら、これに限らず、本発明の生体情報測定装置が検出及び測定可能な生体情報は、脈波及び脈拍数に限定されない。例えば、ＨＲＶ（Heart Rate Variability）、ＲＲＩ（R-R Interval：脈拍間隔）、血圧、血糖値、活動量や消費カロリー、最大酸素摂取量（ＶＯ２ｍａｘ）等の他の生体情報を測定する生体情報測定装置に本発明を適用してもよい。
【符号の説明】
【００６８】
１Ａ，１Ｂ…生体情報測定装置、２…ハウジング、２２３，２２４…凹部、４Ａ，４Ｂ，４Ｃ…制御部、４１…基板、４１Ａ…実装面（第１面）、４１Ｂ…実装面（第２面）、４２…回路素子（処理回路）、４３…信号処理部、４４…素子、５Ａ，５Ｂ，５Ｃ…センサー部、５１，６１…発光部、５１Ａ，５１Ｂ，６１Ａ，６１Ｂ…発光部（第１発光部、第２発光部）、５２，６２…受光部、５３…遮光部、５３１…第１遮蔽部、５３２…第２遮蔽部、５３１１，５３２１…先端部、５４，６４…封止部、５４１，６４１…接触面（発光部から出射された光が外部に出射される面）。
【図１】
2019136442.tif 000003
【図２】
2019136442.tif 000004
【図３】
2019136442.tif 000005
【図４】
2019136442.tif 000006
【図５】
2019136442.tif 000007
【図６】
2019136442.tif 000008
【図７】
2019136442.tif 000009
【図８】
2019136442.tif 000010
【図９】
2019136442.tif 000011
【図１０】
2019136442.tif 000012